【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】 少なくとも１つのＸ線検出器アレイと、Ｘ線ビームを投射する少なくとも１つの回転式Ｘ線源とを含んでいるコンピュータ断層撮影（ＣＴ）イメージング・システムを用いて物体の画像を形成する方法であって、複数の相を含んでいる前記物体の生理学的周期を特定する工程と、前記物体の少なくとも１つの相を選択する工程と、各々のＸ線源の各回の回転中に前記物体の選択された各々の相について少なくとも１つの投影データのセグメントを収集する工程と、該投影データ・セグメントを組み合わせることにより投影データ集合を形成する工程と、該投影データ集合から前記物体全体の断面画像を形成する工程と、を含んでいる前記方法。
【請求項２】 前記投影データ・セグメントを組み合わせることにより投影データ集合を形成する前記工程は、前記選択された相について収集された前記投影データ・セグメントを組み合わせることにより、前記物体の選択された各々の相についての投影データ集合を形成する工程を含んでいる請求項１に記載の方法。
【請求項３】 各々のＸ線源の各回の回転中に前記物体の選択された各々の相について少なくとも１つの投影データのセグメントを収集する前記工程は、各々のＸ線源を複数回回転させる工程と、複数の投影角度において各々のＸ線源から各々のＸ線検出器アレイに向かってＸ線ビームを放出する工程とを含んでいる請求項１に記載の方法。
【請求項４】 各々のＸ線源の各回の回転中に前記物体の選択された各々の相について少なくとも１つの投影データのセグメントを収集する前記工程は、前記選択された相について異なる投影角度からの各々の投影データのセグメントを収集する工程を更に含んでいる請求項３に記載の方法。
【請求項５】 前記選択された相について異なる投影角度において各々の投影データのセグメントを収集する前記工程は、各々のＸ線源の回転速度を変更する工程を含んでいる請求項４に記載の方法。
【請求項６】 複数の投影角度において各々のＸ線源から各々のＸ線検出器アレイに向かってＸ線ビームを放出する前記工程は、所定の撮像時間にわたって各々のＸ線源からＸ線ビームを放出する工程を含んでいる請求項５に記載の方法。
【請求項７】 各々のＸ線源の回転速度（回転数／秒）は、ＶG＝１／（ＴC±（ｎ＊Ｒt））
に従って決定され、ここで、ＴC は、秒単位での心拍周期時間であり、ｎは、整数の定数であり、Ｒt は、秒単位での前記所定の撮像時間である、請求項６に記載の方法。
【請求項８】 前記物体の各々の周期について少なくとも１つの投影データのセグメントを収集する前記工程は、各々のＸ線源の回転速度（回転数／秒）をＶG＝［１８０＋（γ／ｎ）］／［１８０＊ｗ］
に従って変更する工程を含んでおり、ここで、ｗは、生理学的周期の時間（秒）であり、γは、完全な投影データ集合を得るための投影角度範囲（度）であり、ｎは、完全な投影データ集合を収集するための選択された整数の周期数である、請求項６に記載の方法。
【請求項９】 前記物体の各々の周期について少なくとも１つの投影データのセグメントを収集する前記工程は、各々のＸ線源の回転速度（回転数／秒）をＶG＝［３６０＋（γ／ｎ）］／［３６０＊ｗ］
に従って変更する工程を含んでおり、ここで、ｗは、生理学的周期の時間（秒）であり、γは、完全な投影データ集合を得るための投影角度範囲（度）であり、ｎは、完全な投影データ集合を収集するための選択された数の周期数である、請求項６に記載の方法。
【請求項１０】 前記イメージング・システムは、第１のＸ線源と、第２のＸ線源と、第１の検出器アレイと、第２の検出器アレイとを含んでいる請求項１に記載の方法。
【請求項１１】 前記物体の少なくとも１つの相を選択する前記工程は、前記物体の第１の選択された相を選択する工程と、前記物体の第２の選択された相を選択する工程とを含んでいる請求項１に記載の方法。
【請求項１２】 前記物体の生理学的周期を特定する前記工程は、心収縮相と心拡張相とを含む心臓の生理学的周期を特定する工程を含んでいる請求項１に記載の方法。
【請求項１３】 前記物体の生理学的周期を特定する前記工程は、呼吸器系の生理学的周期を特定する工程を含んでいる請求項１に記載の方法。
【請求項１４】 前記投影データ・セグメントを組み合わせることにより投影データ集合を形成する前記工程は、複数の投影角度について各々のＸ線源を回転させる工程と、各々の検出器アレイを用いて複数の投影角度について投影データを収集する工程と、前記物体の選択された各々の相について前記投影データを並べ換えする工程とを含んでいる請求項１に記載の方法。
【請求項１５】 各々のＸ線源の各回の回転中に前記物体の選択された各々の相について少なくとも１つの投影データのセグメントを収集する前記工程は、前記物体の不整周期を検出する工程と、該不整周期中に収集された前記投影データに代わる置換用投影データを収集する工程とを含んでいる請求項１に記載の方法。
【請求項１６】 少なくとも１つのＸ線検出器アレイと、Ｘ線ビームを投射する少なくとも１つの回転式Ｘ線源とを含んでおり、物体の画像を形成するコンピュータ断層撮影（ＣＴ）イメージング・システムであって、複数の相を含んでいる前記物体の生理学的周期を特定し、操作者が前記物体の少なくとも１つの相を選択することを可能にし、各々の前記Ｘ線源の各回の回転中に前記物体の選択された各々の相について少なくとも１つの投影データのセグメントを収集し、該投影データ・セグメントを組み合わせることにより投影データ集合を形成し、該投影データ集合から前記物体全体の断面画像を形成するように構成されているイメージング・システム。
【請求項１７】 前記投影データ・セグメントを組み合わせることにより投影データ集合を形成するために、当該イメージング・システムは、前記選択された相について収集された前記投影データ・セグメントを組み合わせることにより、前記物体の選択された各々の相についての前記投影データ集合を形成するように構成されている請求項１６に記載のイメージング・システム。
【請求項１８】 各々の前記Ｘ線源の各回の回転中に前記物体の選択された各々の相について少なくとも１つの投影データのセグメントを収集するために、当該イメージング・システムは、各々の前記Ｘ線源を複数回回転させ、複数の投影角度において各々の前記Ｘ線源から各々の前記Ｘ線検出器アレイに向かってＸ線ビームを放出するように構成されている請求項１６に記載のイメージング・システム。
【請求項１９】 各々の前記Ｘ線源の各回の回転中に前記物体の選択された各々の相について少なくとも１つの投影データのセグメントを収集するために、当該イメージング・システムは、前記選択された相について異なる投影角度からの各々の投影データのセグメントを収集するように更に構成されている請求項１８に記載のイメージング・システム。
【請求項２０】 前記選択された相について異なる投影角度からの各々の投影データのセグメントを収集するために、当該イメージング・システムは、各々の前記Ｘ線源の回転速度を変更するように構成されている請求項１９に記載のイメージング・システム。
【請求項２１】 複数の投影角度において各々の前記Ｘ線源から各々の前記Ｘ線検出器アレイに向かってＸ線ビームを放出するために、当該イメージング・システムは、所定の撮像時間にわたって各々の前記Ｘ線源からＸ線ビームを放出するように構成されている請求項２０に記載のイメージング・システム。
【請求項２２】 各々のＸ線源の回転速度（回転数／秒）は、ＶG＝１／（ＴC±（ｎ＊Ｒt））
に従って決定され、ここで、ＴC は、秒単位での心拍周期時間であり、ｎは、整数の定数であり、Ｒt は、秒単位での前記所定の撮像時間である、請求項２１に記載のイメージング・システム。
【請求項２３】 前記物体の各々の周期について少なくとも１つの投影データのセグメントを収集するために、当該イメージング・システムは、各々の前記Ｘ線源の回転速度（回転数／秒）をＶG＝［１８０＋（γ／ｎ）］／［１８０＊ｗ］
に従って変更するように構成されており、ここで、ｗは、生理学的周期の時間（秒）であり、γは、完全な投影データ集合を得るための投影角度範囲（度）であり、ｎは、完全な投影データ集合を収集するための選択された整数の周期数である、請求項２１に記載のイメージング・システム。
【請求項２４】 前記物体の各々の周期について少なくとも１つの投影データのセグメントを収集するために、当該イメージング・システムは、各々の前記Ｘ線源の回転速度（回転数／秒）をＶG＝［３６０＋（γ／ｎ）］／［３６０＊ｗ］
に従って変更するように構成されており、ここで、ｗは、生理学的周期の時間（秒）であり、γは、完全な投影データ集合を得るための投影角度範囲（度）であり、ｎは、完全な投影データ集合を収集するための選択された数の周期数である、請求項２１に記載のイメージング・システム。
【請求項２５】 前記イメージング・システムは、第１のＸ線源と、第２のＸ線源と、第１の検出器アレイと、第２の検出器アレイとを含んでいる請求項１６に記載のイメージング・システム。
【請求項２６】 操作者が前記物体の少なくとも１つの相を選択することを可能にするために、当該イメージング・システムは、前記操作者が前記物体の第１の選択された相を選択することを可能にし、前記操作者が前記物体の第２の選択された相を選択することを可能にするように構成されている請求項１６に記載のイメージング・システム。
【請求項２７】 前記物体の生理学的周期を特定するために、当該イメージング・システムは、心収縮相と心拡張相とを含む心臓の生理学的周期を特定するように構成されている請求項１６に記載のイメージング・システム。
【請求項２８】 前記物体の生理学的周期を特定するために、当該イメージング・システムは、呼吸器系の生理学的周期を特定するように構成されている請求項１６に記載のイメージング・システム。
【請求項２９】 前記投影データ・セグメントを組み合わせることにより投影データ集合を形成するために、当該イメージング・システムは、複数の投影角度について各々の前記Ｘ線源を回転させ、各々の前記検出器アレイを用いて複数の投影角度について投影データを収集し、前記物体の選択された各々の相について前記投影データを並べ換えするように構成されている請求項１６に記載のイメージング・システム。
【請求項３０】 各々の前記Ｘ線源の各回の回転中に前記物体の選択された各々の相について少なくとも１つの投影データのセグメントを収集するために、当該イメージング・システムは、前記物体の不整周期を検出し、該不整周期中に収集された前記投影データに代わる置換用投影データを収集するように構成されている請求項１６に記載のイメージング・システム。
【請求項３１】 少なくとも１つのＸ線検出器アレイと、Ｘ線ビームを投射する少なくとも１つの回転式Ｘ線源とを含んでいるコンピュータ断層撮影（ＣＴ）イメージング・システムを用いて物体の画像を形成する方法であって、
複数の相を含んでいる前記物体の生理学的周期を特定する工程と、
各々のＸ線源の各回の回転中に前記物体の少なくとも１つの投影データのセグメントを収集する工程と、
前記物体の少なくとも１つの選択された相についての前記投影データのセグメントを組み合わせることにより投影データ集合を形成する工程と、
該投影データ集合から前記物体全体の断面画像を形成する工程と、
を含んでいる物体の画像を形成する方法。
【請求項３２】 少なくとも１つのＸ線検出器アレイと、Ｘ線ビームを投射する少なくとも１つの回転式Ｘ線源とを含んでおり、物体の画像を形成するコンピュータ断層撮影（ＣＴ）イメージング・システムであって、
複数の相を含んでいる前記物体の生理学的周期を特定し、各々のＸ線源の各回の回転中に前記物体の少なくとも１つの投影データのセグメントを収集し、前記物体の少なくとも１つの選択された相についての前記投影データのセグメントを組み合わせることにより投影データ集合を形成し、該投影データ集合から前記物体全体の断面画像を形成するように構成されているイメージング・システム。